(57)【要約】      （修正有）【課題】手摺ベルトを駆動する駆動チェーンが伸びてもほぼ一定のテンションが付与できるマンコンベアの手摺駆動装置を提供する。【解決手段】動力を伝達する駆動チェーン７と、駆動チェーン７により駆動されて手摺を移動させる駆動車輪と、駆動チェーン７に張力を与えるテンション機構部とを備えたマンコンベアの手摺駆動装置において、テンション機構部は、駆動チェーン７を押圧する緊張スプロケット１３ｂと、緊張スプロケット１３ｂを付勢して駆動チェーン７にテンションを付与するばね１４と、緊張スプロケット１３ｂの付勢方向と逆方向への戻りを防止する戻り防止部とを備えた。【選択図】図２
2010275066.tif 000002
【特許請求の範囲】
【請求項１】
動力を伝達する駆動チェーンと、前記駆動チェーンにより駆動されて手摺を移動させる駆動車輪と、前記駆動チェーンに張力を与えるテンション機構部と、を備えたマンコンベアの手摺駆動装置において、
前記テンション機構部は、前記駆動チェーンを押圧する押圧体と、前記押圧体を付勢して前記駆動チェーンにテンションを付与する付勢部材と、前記押圧体の前記付勢方向と逆方向への戻りを防止する戻り防止部と、を備えたことを特徴とするマンコンベアの手摺駆動装置。
【請求項２】
前記戻り防止部は、固定ブラケットと、前記固定ブラケットに取付けられ、互いに対向するとともに溝部を有する一対の支持部材と、前記固定ブラケットに対し移動可能に取付けられるとともに、前記押圧体が取付けられる可動ブラケットと、前記可動ブラケットに取付けられ、前記溝部に係合する爪部を有するロック機構部と、を備え、
前記溝部は、前記付勢部材の付勢方向へは前記可動ブラケットの移動が可能で、前記付勢方向と逆方向へは前記可動ブラケットの移動が不可となる傾斜溝部であることを特徴とする請求項１に記載のマンコンベアの手摺駆動装置。
【発明の詳細な説明】
【技術分野】
【０００１】
この発明は、動く歩道またはエスカレータ等のマンコンベアに使用される手摺を駆動するマンコンベアの手摺駆動装置に関するものである。
【背景技術】
【０００２】
周知のように、動く歩道またはエスカレータ等のマンコンベアにおいては、移動する手摺（以下、手摺ベルトという。）が使用されている。この手摺ベルトは踏み段と同期して移動することが義務付けられており、一般に、踏み段と手摺ベルトを同一の駆動源で駆動している。ここで、手摺ベルトは駆動車輪と押圧車輪で圧接されており、駆動車輪に駆動チェーンを巻装すると共に、駆動源により駆動チェーンを駆動して移動するように構成されている。
【０００３】
このような状態において、マンコンベアの使用に伴い、駆動車輪に巻装された駆動チェーンが伸びると、駆動車輪と押圧車輪で圧接される手摺ベルトの移動に滑りが生じて踏み段と手摺ベルトの同期移動が保てなくなる。
【０００４】
そこで、この駆動チェーンの伸びへの対策を考慮したエスカレータの手摺駆動装置として、従来、手摺ベルトの駆動車輪とこの駆動車輪に手摺ベルトを圧接する押圧車輪、並びにそれらを駆動するスプロケットを一つの取付体に取付け、その取付体をエスカレータの本体枠に接着したものがある。そして、その取付体に案内溝を形成した支持体を取付けると共に、案内溝に沿ってスプロケットに巻装された駆動チェーンのテンションを調整する緊張スプロケットを取付けたものがある（例えば、特許文献１参照）。
【先行技術文献】
【特許文献】
【０００５】
【特許文献１】特開平７−２３７８７５号公報
【発明の概要】
【発明が解決しようとする課題】
【０００６】
前記特許文献１に開示されたエスカレータの手摺駆動装置は、例えば定期検査の際に、ねじ杵を回して緊張スプロケットを案内溝に沿って移動させ、駆動チェーンのテンションを計って付与し、その後、ナットで緊張スプロケットを固定する構成であるため、駆動チェーンにテンションを付与する作業が大変であるという課題がある。
【０００７】
また、前記従来のエスカレータの手摺駆動装置は、駆動チェーンが伸びてテンションが低くなっても、例えば定期検査前で調整しない間はテンションが低いままの状態となり、手摺ベルトの駆動に問題が発生するおそれがあるという課題がある。
【０００８】
この発明は、前記の課題を解決するためになされたもので、手摺ベルトを駆動する駆動チェーンが伸びてもほぼ一定のテンションが付与できるマンコンベアの手摺駆動装置を提供することを目的とするものである。
【課題を解決するための手段】
【０００９】
この発明に係るマンコンベアの手摺駆動装置は、動力を伝達する駆動チェーンと、前記駆動チェーンにより駆動されて手摺を移動させる駆動車輪と、前記駆動チェーンに張力を与えるテンション機構部と、を備えたマンコンベアの手摺駆動装置において、前記テンション機構部は、前記駆動チェーンを押圧する押圧体と、前記押圧体を付勢して前記駆動チェーンにテンションを付与する付勢部材と、前記押圧体の前記付勢方向と逆方向への戻りを防止する戻り防止部と、を備えたものである。
【発明の効果】
【００１０】
この発明に係るマンコンベアの手摺駆動装置によれば、手摺を移動させる駆動車輪を駆動する駆動チェーンに張力を与えるテンション機構部を、駆動チェーンを押圧する押圧体と、押圧体を付勢して駆動チェーンにテンションを付与する付勢部材と、押圧体の付勢方向と逆方向への戻りを防止する戻り防止部とを備える構成としたので、手摺ベルトを駆動する駆動チェーンが伸びてもほぼ一定のテンションを付与でき、非常停止時や振動等で急激な力が作用してもほぼ一定のテンションを付与し続けることができるマンコンベアの手摺駆動装置を得ることができる。
【図面の簡単な説明】
【００１１】
【図１】この発明の実施の形態１に係る手摺駆動装置を搭載したエスカレータを示す概略側面図である。
【図２】この発明の実施の形態１に係る手摺駆動装置を説明する正面図である。
【図３】この発明の実施の形態１に係る手摺駆動装置のテンション機構部の分解斜視図である。
【発明を実施するための形態】
【００１２】
以下、添付の図面を参照して、この発明に係るマンコンベアの手摺駆動装置について好適な実施の形態を説明する。なお、この実施の形態によりこの発明が限定されるものではない。
【００１３】
実施の形態１．
図１は、実施の形態１に係るエスカレータの手摺駆動装置を搭載したエスカレータの概略側面図である。
図１において、エスカレータの手摺駆動装置１は、エスカレータ本体２の機械室３に設置された駆動部４から第１のチェーン５、駆動輪６、および第２のチェーン７を介して動力を得ている。なお、駆動部４からの駆動力により踏み段８が駆動され、踏み段８と手摺ベルト９とは移動速度が同期するように構成されているが、その構成については従来と同様であり説明を省略する。
【００１４】
図２および図３は、手摺駆動装置１を説明する図で、図２は手摺駆動装置１の正面図、図３はそのテンション機構部の分解斜視図である。図２および図３おいて、手摺駆動装置１は、取付体、例えば取付板１０によりエスカレータ本体２に取付けられており、この取付板１０にスプロケット１１が回転可能に取付けられている。スプロケット１１は、第２のチェーン７によって回転し、同軸で回転する一体化した手摺駆動車輪（図示せず）が手摺ベルト９（図１参照）を回転しながら押圧する。これにより手摺ベルト９が移動する。
【００１５】
取付板１０には板材をＬ形状に折曲して形成した固定ブラケット１２が取付けられている。固定ブラケット１２の頂部１２ａの両側部に、下方に向かって延長する一対の第１の支持棒１２ｂが設けられ、背面部１２ｃの中央部に、第１の支持棒１２ｂと直交する方向に第２の支持棒１２ｄが設けられている。なお、第１の支持棒１２ｂの中央部から下方には、互いに対向する部位に後述する戻り防止部が設けられ、戻り防止用の傾斜溝部１２ｅが形成されている。また、第２の支持棒１２ｄの先端部には螺子部１２ｆが形成されている。
【００１６】
固定ブラケット１２と共に、第２のチェーン７のテンション機構部を構成する可動ブラケット１３は、固定ブラケット１２と同様に板材をＬ形状に折曲して形成されている。この可動ブラケット１３は、後述するように、固定ブラケット１２に対し、移動可能に取付けられ、その背面部１３ａには、第２のチェーン７を押圧する押圧体となる緊張スプロケット１３ｂが回転可能に取付けられている。また、固定ブラケット１２と可動ブラケット１３の間に付勢部材、例えば、ばね１４が配置されており、ばね１４の付勢力を受けて第２のチェーン７にほぼ一定のテンションが加えられている。
【００１７】
可動ブラケット１３の頂部１３ｃ、即ち、ばね１４の当接部分に孔部１３ｄが形成されており、その孔部１３ｄにばね１４を外装した第１の支持棒１２ｂが挿入されている。また、可動ブラケット１３の背面部１３ａに、ばね１４の付勢方向に沿った長孔部１３ｅが形成されており、この長孔部１３ｅに第２の支持棒１２ｄが挿入されている。そして、第２の支持棒１２ｄの螺子部１２ｆに設けられたダブルナット部１５により、固定ブラケット１２と可動ブラケット１３が取付けられている。このように、固定ブラケット１２に設けられた第１の支持棒１２ｂと第２の支持棒１２ｄにより、可動ブラケット１３が長孔部１３ｅに沿って移動可能に取付けられている。
【００１８】
また、ロック機構部１６が可動ブラケット１３の頂部１３ｃであって、ばね１４の当接面の反対側に固定されている。ロック機構部１６は内部のばね（図示せず）により、爪部１６ａが第１の支持棒１２ｂに形成された傾斜溝部１２ｅに係合し、可動ブラケット１３がばね１４による付勢方向と逆方向、即ち、第２のチェーン７のテンションが緩む方向に移動するのを防止している。
【００１９】
図２および図３において、エスカレータの手摺駆動装置１は、第２のチェーン７、スプロケット１１、固定ブラケット１２、可動ブラケット１３、緊張スプロケット１３ｂ、ばね１４、ダブルナット部１５、およびロック機構部１６を含む。また、テンション機構部は、固定ブラケット１２、可動ブラケット１３、緊張スプロケット１３ｂ、ばね１４、ダブルナット部１５、およびロック機構部１６により構成されている。更に、戻り防止部は、支持棒１２ｂ、傾斜溝部１２ｅ、および傾斜溝部１２ｅに係合する爪部１６ａを備えたロック機構部１６を含んで構成されている。
【００２０】
前記のように構成された手摺駆動装置１によれば、ばね１４の所定のばね力が可動ブラケット１３に常時作用し、可動ブラケット１３に回転可能に取付けられた緊張スプロケット１３ｂが第２のチェーン７を常時押圧する。これにより第２のチェーン７に所定のテンションを付与している。従って、エスカレータ本体２の稼働に伴って第２のチェーン７が伸びたとしても、第２のチェーン７に対してほぼ一定のテンションを付与し続けることができるので、定期検査等での調整作業時間を省くことができる。
【００２１】
また、第１の支持棒１２ｂの傾斜溝部１２ｅは、ばね１４の付勢方向へは可動ブラケット１３が移動可能で、かつ、ばね１４の付勢方向と逆方向へは可動ブラケット１３が移動不可となる傾斜溝部、即ち、戻り防止用の溝部に形成されている。従って、可動ブラケット１３がばね１４の付勢力で移動する場合は、ロック機構部１６の爪部１６ａがその傾斜した溝部に沿って引込みながら移動し、その傾斜が切れたところで爪部１６ａが突出するようになる。これにより、非常停止や振動等の外力で可動ブラケット１３が戻ろうとしても、傾斜溝部１２ｅに爪部１６ａが引っ掛かるので戻ることはない。
【００２２】
以上説明したように、実施の形態１に係るエスカレータの手摺駆動装置１によれば、第２のチェーン７を押圧するための押圧部である緊張スプロケット１３ｂ、この緊張スプロケット１３ｂを一方向に付勢して第２のチェーン７にテンションを付与するばね１４、緊張スプロケット１３ｂの逆方向への戻りを防止するための第１の支持捧１２ｂ、傾斜溝部１２ｅ、ロック機構部１６を含む戻り防止部を備えたので、第２のチェーン７が伸びても常にほぼ一定のテンションを第２のチェーン７に付与できると共に、非常停止時や振動等で急激な力が作用してもほぼ一定のテンションを付与し続けることができる。
【００２３】
なお、前記実施の形態においては、この発明をエスカレータの手摺駆動装置に使用した例について図示説明したが、この発明はエスカレータの手摺駆動装置以外に動く歩道等の手摺駆動装置に使用しても同等の効果を奏するものであり、マンコンベアの手摺駆動装置として使用できることは勿論である。
【符号の説明】
【００２４】
１  手摺駆動装置                      ２  エスカレータ本体
３  機械室                            ４  駆動部
５  第１のチェーン                    ６  駆動輪
７  第２のチェーン                    ８  踏み段
９  手摺ベルト                        １０  取付板
１１  スプロケット                    １２  固定ブラケット
１２ａ，１３ｃ  頂部                  １２ｂ  第１の支持棒
１２ｃ，１３ａ  背面部                １２ｄ  第２の支持棒
１２ｅ  傾斜溝部                      １２ｆ  螺子部
１３  可動ブラケット                  １３ｂ  緊張スプロケット
１３ｄ  孔部                          １３ｅ  長孔部
１４  ばね                            １５  ダブルナット部
１６  ロック機構部                    １６ａ  爪部
【図１】
2010275066.tif 000003
【図２】
2010275066.tif 000004
【図３】
2010275066.tif 000005